(57)【要約】【課題】浴槽に湯を供給する際のエネルギー効率を向上させることができる給湯装置を提供する。【解決手段】給湯装置１は、ヒートポンプ２５と、ヒートポンプ２５によって沸かされた湯を貯めるタンク１１と、湯を貯める浴槽３と、制御部６０とを有し、制御部６０は、ヒートポンプ２５で湯を沸かしてタンク１１に貯める沸上げ運転、タンク１１に貯められた湯を浴槽３に供給する通常湯張運転、ヒートポンプ２５で沸上げ運転よりも低い温度の湯を沸かす低温沸上げ運転、及び低温沸上げ運転が行われている際にヒートポンプ２５によって沸かされた湯の温度が規定温度に達した場合に低温沸上げ運転によって沸かされた湯を浴槽３に供給するエコ湯張運転を行う。【選択図】図１
2020148412.tif 000002
【特許請求の範囲】
【請求項１】
水と外気から吸熱した冷媒とを熱交換して前記水を加熱して湯を沸かすヒートポンプ（２５）と、
前記ヒートポンプによって沸かされた前記湯を貯めるタンク（１１）と、
前記湯を貯める浴槽（３）と、
前記ヒートポンプによって沸かされた前記湯の温度を検出する湯温度検出部（２７）と、
制御部（６０）と、を有し、
前記制御部は、前記ヒートポンプで前記湯を沸かして前記タンクに貯める沸上げ運転、前記タンクに貯められた前記湯を前記浴槽に供給する通常湯張運転、前記ヒートポンプで前記沸上げ運転よりも低い温度の前記湯を沸かす低温沸上げ運転、及び前記低温沸上げ運転が行われている際に前記湯温度検出部によって検出された前記湯の温度が規定温度に達した場合に前記低温沸上げ運転によって沸かされた前記湯を前記浴槽に供給するエコ湯張運転を行う給湯装置。
【請求項２】
水と外気から吸熱した冷媒とを熱交換して前記水を加熱して湯を沸かすヒートポンプ（２５）と、
前記ヒートポンプによって沸かされた前記湯を貯めるタンク（１１）と、
前記湯を貯める浴槽（３）と、
制御部（６０）と、を有し、
前記制御部は、前記ヒートポンプで前記湯を沸かして前記タンクに貯める沸上げ運転、前記タンクに貯められた前記湯を前記浴槽に供給する通常湯張運転、前記ヒートポンプで前記沸上げ運転よりも低い温度の前記湯を沸かす低温沸上げ運転、及び前記低温沸上げ運転を開始してから規定時間が経過した後に前記低温沸上げ運転によって沸かされた前記湯を前記浴槽に供給するエコ湯張運転を行う給湯装置。
【請求項３】
前記ヒートポンプによって沸かされた前記湯が前記浴槽に流入する流路に設けられた浴槽用電磁弁（１７ｂ）を有し、
前記浴槽用電磁弁は、前記エコ湯張運転では前記通常湯張運転よりも前記流路を流れる前記湯の流量を少なくする請求項１又は２に記載の給湯装置。
【請求項４】
前記浴槽用電磁弁は、開弁又は閉弁する開閉弁であり、
前記制御部は、前記エコ湯張運転において、前記浴槽用電磁弁の開弁と閉弁を繰り返すことによって、前記湯を断続的に前記浴槽に供給する請求項３に記載の給湯装置。
【請求項５】
前記浴槽用電磁弁は、前記湯が前記浴槽に流入する流路の開口面積を調整するリニア弁であり、
前記制御部は、前記エコ湯張運転において、前記浴槽用電磁弁によって前記流路を絞る請求項３に記載の給湯装置。
【請求項６】
前記通常湯張運転と前記エコ湯張運転とを選択可能な操作部（６１、６２）を有する請求項１ないし５のいずれか１つに記載の給湯装置。
【請求項７】
前記ヒートポンプから流出した水を前記ヒートポンプに戻すバイパス配管（２９）を有し、
前記制御部は、前記低温沸上げ運転を行う前に、前記ヒートポンプから流出した水を、前記バイパス配管を介して前記ヒートポンプに戻す始動運転を行う請求項１ないし６のいずれか１つに記載の給湯装置。
【請求項８】
前記タンクの上段部に接続され、前記ヒートポンプによって沸かされた前記湯が流通して前記タンクの上段部に流入させる高温水配管（２４ｂ）と、
前記タンクの前記上段部よりも下方の中段部に接続され、前記ヒートポンプによって沸かされた前記湯が流通して前記タンクの前記中段部に流入させる中温水配管（３３）と、
前記タンクの前記中段部に接続され、前記タンクに貯留された前記湯を導出する中温水導出管（３８）と、を有し、
前記沸上げ運転においては、前記ヒートポンプによって沸かされた前記湯が前記高温水配管を流通して前記タンクの上段部に流入し、
前記低温沸上げ運転においては、前記ヒートポンプによって沸かされた前記湯が前記中温水配管を流通して前記タンクの前記中段部に流入し、
前記エコ湯張運転においては、前記タンクに貯留された前記湯が前記中温水導出管から導出されて前記浴槽に供給される請求項１ないし７のいずれか１つに記載の給湯装置。
【発明の詳細な説明】
【技術分野】
【０００１】
本発明は、給湯装置に関する。
【背景技術】
【０００２】
特許文献１には、ヒートポンプによって高温水に加熱した湯をタンクに貯留する沸上げ運転と、ヒートポンプによって高温水よりも温度が低い中温水に加熱した湯を浴槽に供給する湯張運転とを行う給湯装置が提案されている。
【０００３】
この給湯装置では、湯張運転時にヒートポンプによって高温水よりも低い温度の中温水を生成して浴槽に供給して、給湯装置のエネルギー効率を向上させようとしている。
【０００４】
特許文献１に示される給湯装置では、湯張運転時に、ヒートポンプによって加熱された中温水が、タンク上部に供給されて、タンク上部の高温水と混合したうえで、浴槽に供給される。このため、ヒートポンプの起動当初において、充分に昇温していない湯が、タンク上部の高温水と混合されるため、浴槽に供給される湯の温度が目標給湯温度よりも下回ってしまうことを防止している。
【先行技術文献】
【特許文献】
【０００５】
【特許文献１】特開２０１５−６８６２７号公報
【発明の概要】
【発明が解決しようとする課題】
【０００６】
しかしながら、特許文献１に示される給湯装置では、湯張運転時に、ヒートポンプによって加熱された中温水が、タンク上部に供給されて、タンク上部の高温水と混合するので、タンク上部の温水の水温が低下してしまう。このため、特許文献１に示される給湯装置では、湯張運転を行った後に沸上げ運転を行い、タンク上部の温水の温度を昇温させている。この結果、余分にエネルギーを消費してしまうため、給湯装置のエネルギー効率が低下してしまうという問題が有った。
【０００７】
本発明は、浴槽に湯を供給する際のエネルギー効率を向上させることができる給湯装置を提供することを目的とする。
【課題を解決するための手段】
【０００８】
上記目的を達成するため、請求項１に記載の給湯装置は、水と外気から吸熱した冷媒とを熱交換して水を加熱して湯を沸かすヒートポンプ（２５）と、ヒートポンプによって沸かされた湯を貯めるタンク（１１）と、湯を貯める浴槽（３）と、ヒートポンプによって沸かされた湯の温度を検出する湯温度検出部（２７）と、制御部（６０）と、を有し、制御部は、ヒートポンプで湯を沸かしてタンクに貯める沸上げ運転、タンクに貯められた湯を浴槽に供給する通常湯張運転、ヒートポンプで沸上げ運転よりも低い温度の湯を沸かす低温沸上げ運転、及び低温沸上げ運転が行われている際に湯温度検出部によって検出された湯の温度が規定温度に達した場合に低温沸上げ運転によって沸かされた湯を浴槽に供給するエコ湯張運転を行う。
【０００９】
これによれば、ヒートポンプによって沸かされた湯の温度が規定温度に達してから、低温沸上げ運転によって沸かされた湯が浴槽に供給される。このため、ヒートポンプの起動当初において、充分に昇温していない水をタンク内に貯留されている湯と混ぜて昇温させてから浴槽に供給する必要が無い。この結果、タンク内の湯の温度が低下することが無いので、エコ湯張運転を行った後に沸上げ運転を行う必要が無く、給湯装置のエネルギー効率の低下を抑制することができる。よって、浴槽に湯を供給する際のエネルギー効率を向上させることができる給湯装置を提供することができる。
【００１０】
また、上記目的を達成するため、請求項２に記載の給湯装置は、水と外気から吸熱した冷媒とを熱交換して水を加熱して湯を沸かすヒートポンプ（２５）と、ヒートポンプによって沸かされた湯を貯めるタンク（１１）と、湯を貯める浴槽（３）と、制御部（６０）と、を有し、制御部は、ヒートポンプで湯を沸かしてタンクに貯める沸上げ運転、タンクに貯められた湯を浴槽に供給する通常湯張運転、ヒートポンプで沸上げ運転よりも低い温度の湯を沸かす低温沸上げ運転、及び低温沸上げ運転を開始してから規定時間が経過した後に低温沸上げ運転によって沸かされた湯を浴槽に供給するエコ湯張運転を行う。
【００１１】
これによれば、低温沸上げ運転を開始してから規定時間が経過した後に、低温沸上げ運転によって沸かされた湯が浴槽に供給される。このため、ヒートポンプの起動当初において、充分に昇温していない水をタンク内に貯留されている湯と混ぜて昇温させてから浴槽に供給する必要が無い。この結果、タンク内の湯の温度が低下することが無いので、エコ湯張運転を行った後に沸上げ運転を行う必要が無く、給湯装置のエネルギー効率の低下を抑制することができる。よって、浴槽に湯を供給する際のエネルギー効率を向上させることができる給湯装置を提供することができる。
【００１２】
なお、この欄及び特許請求の範囲で記載した各手段の括弧内の符号は、後述する実施形態に記載の具体的手段との対応関係を示す一例である。
【図面の簡単な説明】
【００１３】
【図１】第１実施形態の給湯装置の全体構成図である。
【図２】第１実施形態の給湯装置の湯張運転処理を示すフローチャートである。
【図３】第２実施形態の給湯装置の湯張運転処理を示すフローチャートである。
【発明を実施するための形態】
【００１４】
（第１実施形態の給湯装置）
以下、第１実施形態の給湯装置１について図に基づいて説明する。図１に示す給湯装置１は、一般家庭で使用される一般家庭用給湯装置である。給湯装置１は、沸き上げ機能、給湯機能、湯張り機能、及び追い焚き機能を有している。
【００１５】
沸き上げ機能は、湯（換言すれば高温水）を沸かす機能である。給湯機能は、シャワー２等の温水使用側端末へ湯を供給する機能である。湯張り機能は、浴槽３に湯を貯める機能である。追い焚き機能は、浴槽３に貯められた湯を沸かし直す機能である。温水使用側端末とは、浴室のシャワー２や、台所及び洗面所の蛇口等のことである。
【００１６】
給湯装置１は、タンクユニット１０及びヒートポンプ２５を備えている。タンクユニット１０は、タンク１１、沸き上げ回路１２、追い焚き回路１３、第１給水配管１４ａ、第２給水配管１４ｂ、給湯配管１５、湯張り配管１６、浴槽注湯ユニット１７及び浴槽水循環回路１８を有している。
【００１７】
タンク１１は、ヒートポンプ２５によって沸かされた湯を内部に貯めるものであり、縦長形状を有している。タンク１１は、耐食性に優れた金属で形成されている。例えば、タンク１１はステンレスで形成されている。タンク１１の外周部は断熱材で覆われている。これにより、タンク１１は、内部に貯えられた湯を長時間にわたって保温可能となっている。
【００１８】
なお、タンク１１の上段部には、６５〜９０℃の高温水が貯められている。また、タンク１１の中段部には、４５〜５０℃の中温水が貯められている。また、タンク１１の下段部には、殆ど水道水の水温である５〜２０℃の低温水が貯められている。
【００１９】
タンク１１には水温サーミスタ群２０が配置されている。水温サーミスタ群２０は、７つの水温サーミスタ２０ａ、２０ｂ、２０ｃ、２０ｄ、２０ｅ、２０ｆ、２０ｇで構成されている。７つの水温サーミスタ２０ａ〜２０ｇは、タンク１１の上段部から下段部に向かって順番に配置されている。各水温サーミスタ２０ａ〜２０ｇは、各水温サーミスタ２０ａ〜２０ｇが設けられているタンク１１内の部位における水温を検出する。
【００２０】
各水温サーミスタ２０ａ〜２０ｇは、制御部６０に接続されている。各水温サーミスタ２０ａ〜２０ｇの出力信号（すなわち温度情報）は、制御部６０に入力される。制御部６０は、各水温サーミスタ２０ａ〜２０ｇから出力される温度情報に基づいて、タンク１１内の貯湯量を算出する。
【００２１】
タンク１１の底面には導入口１１ａが設けられている。導入口１１ａには水道水配管２１が接続されている。水道水配管２１は、タンク１１内に水道水（換言すれば低温水）を供給する配管である。水道水配管２１には減圧弁２２が設けられている。減圧弁２２は、水道水の水圧が所定圧となるように調節する。減圧弁２２は、断水時等における水の逆流を防止する。
【００２２】
タンク１１の下段部には低温水配管２３が接続されている。タンク１１の上段部には高温水配管２４ｂが接続されている。
【００２３】
ヒートポンプ２５は、外気から吸熱した冷媒とタンク１１下段部の水とを熱交換して、この水を加熱して、湯を沸かす装置である。ヒートポンプ２５はヒートポンプサイクルを有している。
【００２４】
ヒートポンプサイクルは、圧縮機２５ａ、放熱器２５ｂ、可変式減圧器２５ｃ、及び蒸発器２５ｄを有している。圧縮機２５ａ、放熱器２５ｂ、可変式減圧器２５ｃ、蒸発器２５ｄは、閉回路を構成するように互いに接続されている。ヒートポンプサイクルの冷媒は二酸化炭素であり、ヒートポンプサイクルは、高圧側冷媒圧力が冷媒の臨界圧力を超える蒸気圧縮式の超臨界冷凍サイクルを構成している。
【００２５】
圧縮機２５ａは、冷媒を圧縮して放熱器２５ｂに吐出する。放熱器２５ｂは低温水をヒートポンプサイクルの冷媒と熱交換させて加熱する水冷媒熱交換器である。可変式減圧器２５ｃは、放熱器２５ｂから流出した冷媒を減圧する。蒸発器２５ｄは、可変式減圧器２５ｃによって減圧された冷媒と外気とを熱交換させて、この冷媒を蒸発させて、冷媒に外気の有する熱を吸熱させる。
【００２６】
低温水配管２３には低温水サーミスタ２６が設けられている。低温水サーミスタ２６は、低温水配管２３を通過してヒートポンプ２５に流入する水の温度を検出する。低温水サーミスタ２６は、ヒートポンプ２５による加熱能力を調整するために利用される温度情報を検出するもので、制御部６０に接続されている。制御部６０では、低温水サーミスタ２６の検出情報（温度情報）を利用して、可変式減圧器２５ｃや圧縮機２５ａの運転を制御することで、ヒートポンプ２５の加熱能力を調整する。
【００２７】
ヒートポンプ２５は、放熱器２５ｂの冷媒流路を流れる高温高圧の冷媒と、放熱器２５ｂの水流路を流れる水との間で熱交換を行うことにより、水を加熱して湯を沸き上げることが可能となっている。
【００２８】
ヒートポンプサイクルは超臨界冷凍サイクルで構成されているので、一般的なヒートポンプサイクル（すなわち亜臨界冷凍サイクル）と比較して、湯を高温（例えば、８５℃〜９０℃程度）に沸き上げることができる。ヒートポンプ２５は、主に、タンク１１の貯湯量が不足しているときや、料金設定の安価な深夜時間帯の深夜電力を利用してタンク１１内の湯を沸き上げる。
【００２９】
沸き上げ回路１２は、タンク１１の下段部から低温水を取出してヒートポンプ２５で加熱し、加熱された高温水をタンク１１の上段部に戻すための水回路である。具体的には、沸き上げ回路１２は、タンク１１の下段部の水を、低温水配管２３→ヒートポンプ２５→流出配管２４ａ→高温水配管２４ｂ→タンク１１の上段部の順に流すための水回路である。
【００３０】
低温水配管２３には沸き上げ用ポンプ２８が配置されている。沸き上げ用ポンプ２８は、沸き上げ回路１２に水を循環させるためのポンプである。
【００３１】
放熱器２５ｂの出口側には、流出配管２４ａの上流端が接続されている。流出配管２４ａの下流端には、高温水配管２４ｂが接続されている。
【００３２】
放熱器２５ｂの出口側近傍の流出配管２４ａには、湯温度検出部である高温水サーミスタ２７が設けられている。高温水サーミスタ２７は、制御部６０に接続されている。高温水サーミスタ２７は、放熱器２５ｂから流出した水の温度である沸上げ温度Ｔｗｏを検出して、制御部６０に出力する。
【００３３】
流出配管２４ａと高温水配管２４ｂとの接続部には、バイパス配管２９の上流端が接続されている。低温水配管２３の途中部分には、バイパス配管２９の下流端が接続されている。バイパス配管２９は、高温水配管２４ｂに流入する高温水を、タンク１１をパイパスさせて、低温水配管２３に流入させる配管である。つまり、バイパス配管２９は、ヒートポンプ２５から流出した水をヒートポンプ２５に戻す配管である。
【００３４】
流出配管２４ａと高温水配管２４ｂとの接続部には、流路切替弁３０が設けられている。流路切替弁３０は、流出配管２４ａを流れる高温水の流路を、高温水配管２４ｂを介してタンク１１の上段部へ向かう流路と、バイパス配管２９へ向かう流路へ切り替える三方弁である。
【００３５】
追い焚き回路１３は、タンク１１の高温水と浴槽３の水（以下、浴槽水と言う。）とを熱交換させて、浴槽水を追焚きするための回路である。追い焚き回路１３は、取出配管３１、浴槽水熱交換器３２、中温水配管３３、追い焚き用ポンプ３４、及び追い焚き回路逆止弁３５を有している。
【００３６】
取出配管３１は、タンク１１上段部の高温水を、高温水配管２４ｂを介して導出するための配管である。取出配管３１の上流端は、高温水配管２４ｂの上流端に接続されている。高温水配管２４ｂは、タンク１１の上段部から取出配管３１へ高温水を導出するための配管としても機能する。
【００３７】
取出配管３１には追い焚き回路逆止弁３５が配置されている。追い焚き回路逆止弁３５は、中温水配管３３側の水が浴槽水熱交換器３２を経由して取出配管３１側へ逆流することを防止する。追い焚き回路逆止弁３５は、追い焚き用ポンプ３４の運転停止時に、高温水配管２４ｂ側の水が取出配管３１側へ流入することを妨げる流通抵抗としても機能する。
【００３８】
浴槽水熱交換器３２は、取出配管３１で取り出したタンク１１の高温水を浴槽水循環回路１８の浴槽水と熱交換させる熱交換器である。浴槽水熱交換器３２は、タンク１１の高温水が流通する第１流通部３２ａと、浴槽水循環回路１８の浴槽水が流通する第２流通部３２ｂとを有し、タンク１１の高温水と浴槽水循環回路１８の浴槽水とが熱交換するように構成されている。
【００３９】
中温水配管３３は、タンク１１の上下方向の中間部分であり、高温水配管２４ｂが接続されているタンク１１の部位よりも下方に位置する中段部に接続されている。中温水配管３３は、浴槽水熱交換器３２を通過した高温水をタンク１１に戻す配管である。中温水配管３３には追い焚き用ポンプ３４が配置されている。追い焚き用ポンプ３４は、高温水配管２４ｂから導出された高温水を、取出配管３１→浴槽水熱交換器３２→中温水配管３３→タンク１１の順に流すためのポンプである。追い焚き用ポンプ３４は、浴槽水循環回路１８の浴槽水を追焚きする際に用いられる。
【００４０】
流路切替弁３０がタンク１１の上段部側を開けている場合、追い焚き用ポンプ３４が作動することによって、ヒートポンプ２５を流れる高温水、及びタンク１１の上段部の高温水のそれぞれが取出配管３１に流入する。
【００４１】
流路切替弁３０がタンク１１の上段部側を閉じている場合、追い焚き用ポンプ３４が作動することによって、ヒートポンプ２５を流れる高温水が取出配管３１に流入するが、タンク１１の上段部の高温水は取出配管３１に流入しない。
【００４２】
追い焚き用ポンプ３４の運転停止時には、追い焚き回路逆止弁３５は、高温水配管２４ｂ側の高温水が取出配管３１側へ流入することを妨げる流通抵抗となるので、高温水配管２４ｂ側の高温水は取出配管３１へ殆ど流入しない。
【００４３】
このように、追い焚き用ポンプ３４及び流路切替弁３０の作動により、高温水配管２４ｂから取出配管３１へ流す高温水の流量が調整される。
【００４４】
高温水導出管５５は、タンク１１の上段部に接続されている。高温水導出管５５は、タンク１１の上段部の高温水を導出するための配管である。
【００４５】
高温水導出管５５の途中部分には排出配管３６が接続されている。排出配管３６には逃がし弁３７が配置されている。逃がし弁３７は、タンク１１内の圧力が所定圧以上に上昇した際に、タンク１１の上段部の高温水を外部に排出する排出部である。
【００４６】
高温水導出管５５の下流端には、中温水導出管３８の下流端が接続されている。中温水導出管３８の上流端は、タンク１１の中段部に接続されている。中温水導出管３８は、タンク１１内の中段部から中温水を導出するための配管である。なお、中温水導出管３８のタンク１１の接続位置と、中温水配管３３のタンク１１の接続位置とは近接している。また、中温水配管３３及び中温水導出管３８のタンク１１の接続位置であるタンク１１の中段部における中温水の水温は、後述する低温沸上げ運転によってヒートポンプ２５によって沸かされた中温水の沸上げ温度Ｔｗｏと殆ど同じになっている。
【００４７】
高温水導出管５５と中温水導出管３８との合流部には、中温水混合弁３９が配置されている。中温水混合弁３９には、給湯配管１５が接続されている。給湯配管１５は、浴室のシャワー２や、台所及び洗面所の蛇口等の温水使用側端末へ導くため配管である。中温水混合弁３９は、高温水導出管５５から導出した高温水と中温水導出管３８から導出した中温水との混合比を調節可能になっている。中温水混合弁３９は、高温水と中温水との混合比の調節により、給湯配管１５を流れる水の温度を調整する温度調整弁である。
【００４８】
中温水導出管３８には中温水逆止弁４０が配置されている。中温水逆止弁４０は、中温水混合弁３９を介して、タンク１１の上段部の高温水がタンク１１の中段部へ逆流することを防止する。
【００４９】
給湯配管１５の途中部分には、湯張り配管１６の上流端が接続されている。湯張り配管１６は、給湯配管１５を流れる温水を、浴槽戻り配管４１及び浴槽往き配管４７を介して、浴槽３へ導く配管である。
【００５０】
湯張り配管１６の途中部分には、第１給水配管１４ａの下流端が接続されている。第１給水配管１４ａの上流端は、水道水配管２１の減圧弁２２よりも下流側に接続されている。湯張り配管１６と第１給水配管１４ａとの接続部には風呂混合弁４２が配置されている。風呂混合弁４２は、中温水混合弁３９にて温度調整された湯の流量と、水道水配管２１から導入される水の流量との流量比を調節可能になっている。風呂混合弁４２は、当該流量比の調整により、湯張り配管１６の末端で出湯する温水の温度を調整する温度調整弁である。
【００５１】
風呂混合弁４２における流量比の調整は、浴槽注湯ユニット１７の浴槽サーミスタ１７ａの検出値に応じて行われる。浴槽サーミスタ１７ａは、風呂混合弁４２の出口側に配置されている。浴槽サーミスタ１７ａは、風呂混合弁４２から流出した温水の温度を検出する。
【００５２】
湯張り配管１６の風呂混合弁４２の下流側には、浴槽注湯ユニット１７が設けられている。浴槽注湯ユニット１７は、浴槽サーミスタ１７ａ、浴槽用電磁弁１７ｂ、逆流防止弁１７ｃ、浴槽用流量カウンタ１７ｄ、及び２つの浴槽用逆止弁１７ｅを有する。
【００５３】
浴槽用電磁弁１７ｂは、開弁又は閉弁することによって、流路を開放又は閉塞する開閉弁である。浴槽用電磁弁１７ｂは、浴槽３に湯張り・差し湯・足し湯をするときに開弁され、それ以外の時に閉弁される。浴槽用電磁弁１７ｂは、浴槽用流量カウンタ１７ｄにより検出された流量情報に基づいて、所定の流量の温水が出湯されるように制御部６０で制御される。
【００５４】
浴槽用流量カウンタ１７ｄは、湯張り配管１６に流れる温水の流量を検出する。浴槽用電磁弁１７ｂが開弁されて温水を出湯している場合、浴槽用流量カウンタ１７ｄは湯張り配管１６内の水の流れを検出する。
【００５５】
逆流防止弁１７ｃは、給湯配管１５側に浸入しようとする温水がある場合に、圧力差に応じて作動して、温水を浴槽注湯ユニット１７の外部に排出する。
【００５６】
２つの浴槽用逆止弁１７ｅは、浴槽水循環回路１８内の水の風呂混合弁４２側への逆流を防止する。
【００５７】
給湯配管１５のうち湯張り配管１６との接続部よりも下流側には、第２給水配管１４ｂの下流端が接続されている。第２給水配管１４ｂの上流端は、第１給水配管１４ａの途中部分に接続している。給湯配管１５と第２給水配管１４ｂとの合流部には給湯混合弁４３が配置されている。
【００５８】
給湯混合弁４３は、中温水混合弁３９にて温度調整された温水の流量と、水道水配管２１、第１給水配管１４ａ、及び第２給水配管１４ｂから導入される水の流量との流量比を調節可能になっている。給湯混合弁４３は、当該流量比の調整により、給湯配管１５の末端で出湯する温水の温度を調整する温度調整弁である。
【００５９】
給湯混合弁４３における流量比の調整は、給湯混合弁４３の出口側に設けられた給湯サーミスタ４４の検出値に応じて行われる。
【００６０】
給湯配管１５における給湯混合弁４３よりも下流側には、給湯サーミスタ４４、給湯用流量カウンタ４５、及び給湯用逆止弁４６が配置されている。
【００６１】
給湯サーミスタ４４は、給湯配管１５に流れる水の温度を検出する。給湯用流量カウンタ４５は、給湯配管１５に流れる水の流量を検出する。給湯配管１５の末端にあるシャワー２等で出湯している場合、給湯用流量カウンタ４５は、給湯配管１５内の水の流量を検出する。給湯用逆止弁４６は、給湯配管１５の末端のシャワー２等から給湯混合弁４３側への水の逆流を防止する。
【００６２】
浴槽水循環回路１８は、浴槽３に貯められた浴槽水を浴槽水熱交換器３２へ循環させて、浴槽３内の水を追焚きする水回路である。浴槽注湯ユニット１７及び浴槽水循環回路１８は浴槽回路を構成している。
【００６３】
浴槽水循環回路１８は、浴槽戻り配管４１及び浴槽往き配管４７を有している。浴槽戻り配管４１は、浴槽３内の水を追焚きする追焚運転時に、浴槽３内の水を浴槽水熱交換器３２の入口側へ導く配管である。浴槽戻り配管４１は、浴槽３へ注湯する湯張運転時に、浴槽水熱交換器３２を経由せずに、低温の水を浴槽３へ導く配管である。
【００６４】
浴槽戻り配管４１には浴槽水循環ポンプ４８が配置されている。浴槽水循環ポンプ４８は、浴槽水循環回路１８に浴槽水を循環させるためのポンプである。浴槽戻り配管４１のうち浴槽水循環ポンプ４８と浴槽水熱交換器３２との間には、湯張り配管１６の下流端が接続されている。
【００６５】
浴槽３の湯張運転時に浴槽用電磁弁１７ｂが開弁されると、風呂混合弁４２によって所望の温度に調整された温水が、浴槽戻り配管４１から浴槽３へ供給されるとともに、浴槽往き配管４７から浴槽３へ供給される。
【００６６】
浴槽往き配管４７は、湯張運転として注湯運転や追焚運転を実施する際に、浴槽水熱交換器３２で熱交換された水を浴槽３内に導く配管である。
【００６７】
浴槽戻り配管４１には、浴槽３側から順に、水位センサ５０、追焚きサーミスタ５２及び浴槽水循環ポンプ４８が設けられている。浴槽往き配管４７には、浴槽水熱交サーミスタ５３が配置されている。
【００６８】
浴槽水循環ポンプ４８は、浴槽３内の水を追焚きする際に、浴槽３内の水を、浴槽戻り配管４１→浴槽水熱交換器３２→浴槽往き配管４７→浴槽３の順に流すポンプである。浴槽水循環ポンプ４８は、浴槽３の水を浴槽水熱交換器３２へ供給するとともに、浴槽水熱交換器３２を通過した水を浴槽３に戻す浴槽循環ポンプである。
【００６９】
水位センサ５０は、浴槽３内の水位を検出する水位検出部である。水位センサ５０は、浴槽戻り配管４１内の水圧を検出する圧力センサである。浴槽３内の水位上昇に伴って、浴槽戻り配管４１内の水圧（静圧）が上昇する。したがって、水位センサ５０が検出した水圧に基づいて、浴槽３内の水位を算出することができる。水位センサ５０は、フロート式の水位計であってもよい。
【００７０】
追焚きサーミスタ５２は、浴槽戻り配管４１を流れる水の温度を検出する温度センサである。浴槽戻り配管４１には、湯張運転における追焚運転や湯張運転を行う際に、浴槽水熱交換器３２を通過していない水が流れる。このため、追焚きサーミスタ５２は、追焚き運転時に、浴槽水熱交換器３２を通過する前の浴槽３内の水温を検出し、注湯時に、浴槽水熱交換器３２を通過する前の水温を検出することになる。
【００７１】
追焚きサーミスタ５２は、浴槽水循環ポンプ４８の運転により浴槽３から浴槽水熱交換器３２に供給される水の温度（すなわち浴槽３内の浴槽水の温度）を検出可能となっており、制御部６０に接続されている。制御部６０は、追焚きサーミスタ５２で検出した温度を利用して、浴槽３内の水の温度を取得する。
【００７２】
浴槽水熱交サーミスタ５３は、浴槽水熱交換器３２の出口温度を検出する温度センサである。浴槽戻り配管４１には、追焚運転時や湯張運転時に、浴槽水熱交換器３２を通過した後の水が流れる。このため、浴槽水熱交サーミスタ５３は、追焚運転時及び湯張運転時のいずれの場合も、浴槽水熱交換器３２を通過した後の水の温度を検出することになる。
【００７３】
浴槽水熱交サーミスタ５３は、浴槽水熱交換器３２における熱交換能力を調整するために利用される温度情報を検出するものであり、制御部６０に接続されている。制御部６０は、浴槽水熱交サーミスタ５３で検出した温度情報を利用して、追い焚き用ポンプ３４の回転数を制御する。これにより、浴槽水熱交換器３２における熱交換能力が調整される。
【００７４】
浴槽３には浴槽アダプタ３ａが配置されている。浴槽アダプタ３ａは、浴槽戻り配管４１及び浴槽往き配管４７を浴槽３に固定するための部材である。浴槽アダプタ３ａは、浴槽３における水の出入口である。追焚運転時には、浴槽３内の浴槽水が浴槽アダプタ３ａを介して浴槽水熱交換器３２側へ取り出される。湯張運転時には、湯が浴槽アダプタ３ａを介して浴槽３内に供給される。
【００７５】
浴槽３には浴槽栓３ｂが配置されている。浴槽栓３ｂは、浴槽３の排出穴３ｃを閉塞する。浴槽３の排出穴３ｃは、図示しない排水路に連通している。浴槽栓３ｂが排出穴３ｃから抜かれた際に、浴槽３内の水が排出穴３ｃを通じて排水路に排出される。
【００７６】
給湯装置１の電子制御部である制御部６０について説明する。制御部６０は、マイクロコンピュータを主体として構成されており、記憶部として各種メモリ（ＲＯＭ、ＲＡＭ、ＥＥＰＲＯＭ等）が内蔵されている。制御部６０の各種メモリには、予め設定された制御プログラムや更新可能な制御プログラムが記憶されている。
【００７７】
制御部６０の入力側には、各サーミスタ１７ａ、２０、２６、２７、４４、５２、５３、各流量カウンタ１７ｄ、４５、水位センサ５０等の給湯用のセンサ群が接続されている。制御部６０は、メインリモコン６１及び浴室リモコン６２等と双方向に通信可能にする通信部を有している。
【００７８】
制御部６０の出力側には、圧縮機２５ａ、可変式減圧器２５ｃ、各混合弁３９、４２、４３、浴槽用電磁弁１７ｂ、流路切替弁３０、各循環ポンプ２８、３４、４８等の各種制御機器が接続されている。制御部６０は、給湯用のセンサ群の検出情報や各リモコン６１、６２からの操作信号等に基づいて、各種制御機器を制御する。
【００７９】
メインリモコン６１及び浴室リモコン６２は、ユーザが、制御部６０に対して、沸上げ運転、追焚運転、湯張運転等の各種運転の実行を要求するための操作部である。
【００８０】
メインリモコン６１は、浴室以外の場所（台所等）に配置されており、給湯装置１全体を操作するための操作部である。浴室リモコン６２は、浴室内に配置されており、主に風呂機能を操作するための操作部である。
【００８１】
各リモコン６１、６２には、図示しない操作スイッチ、図示しない表示部、及び図示しないスピーカが設けられている。表示部及びスピーカは、作業者に対して各種情報を報知する報知部である。
【００８２】
ユーザは、メインリモコン６１又は浴室リモコン６２を操作することにより、後述する湯張運転の各種設定を行うことができる。この各種設定には、浴槽３に注湯される湯の設定温度である湯張り設定温度、湯張運転のモードを通常湯張りモード又はエコ湯張りモードのいずれかから選択すること、浴槽３に湯張りされる目標湯張り量が含まれる。また、ユーザは、メインリモコン６１又は浴室リモコン６２を操作することにより、湯張運転を開始させることができる。更に、ユーザは、メインリモコン６１又は浴室リモコン６２を操作することにより、エコ湯張りモードによる湯張運転を予約することができる。
【００８３】
次に、上記構成における作動を説明する。制御部６０は、所定の時間帯（例えば時間帯別電灯制度の夜間時間帯）に沸上げ運転を実行する。すなわち、制御部６０は、いわゆる深夜電力を利用して沸上げ運転を実行する。
【００８４】
制御部６０は、ユーザが湯を使用することによってタンク１１内の湯が不足する可能性がある場合も、追加の沸上げ運転を実行する。この場合には、制御部６０は、非深夜電力を利用して追加の沸上げ運転を実行する。制御部６０は、追加の沸上げ運転を実行することによってタンク１１内の残湯量が所定量以上になった場合、追加の沸上げ運転を停止する。
【００８５】
沸上げ運転時には、制御部６０は、圧縮機２５ａを稼働させるとともに、流出配管２４ａを流れる水が、高温水配管２４ｂを介してタンク１１の上段部へ向かう流路となるように流路切替弁３０を制御する。その後、制御部６０は、予め設定された湯量またはタンク１１の全量分の湯がタンク１１の上段部側に貯湯されるように、ヒートポンプ２５、及び沸き上げ用ポンプ２８を運転する。
【００８６】
これにより、タンク１１の下段部の水は、低温水配管２３→放熱器２５ｂ→流出配管２４ａ→高温水配管２４ｂ→タンク１１の上段部の順に流れる。そして、タンク１１の下段部の水は、放熱器２５ｂを通過する際に、所定の貯湯沸き上げ温度（例えば、６５〜９０℃）となるように沸き上げられ、タンク１１の上段部側へ貯湯される。
【００８７】
制御部６０は、例えば、各リモコン６１、６２から給湯運転の実行を要求する要求信号を受けた場合、給湯運転を実行する。
【００８８】
給湯運転時には、制御部６０は、給湯配管１５の末端に配設される給湯栓等を開弁させる。この際の給水圧力によりタンク１１内の水が給湯配管１５側へ押し出され、各配管を介してタンク１１からの水及び水道水配管２１からの水が各混合弁３９、４３で混合されて所望の温度（給湯設定温度）に調整される。その後、各混合弁３９、４３で温度調整された水が、給湯配管１５の末端のシャワー２等へ供給される。
【００８９】
制御部６０は、例えば、各リモコン６１、６２から湯張運転の実行を要求する要求信号を受けた場合、湯張運転を実行する。
【００９０】
以下に、湯張運転について説明する。制御部６０に電源が投入されると湯張運転処理が開始し、ステップＳ１１の処理に進む。
【００９１】
ステップＳ１１において、制御部６０は、ユーザのメインリモコン６１又は浴室リモコン６２の操作により、湯張運転の開始の信号が投入されたと判断した場合には（ステップＳ１１：ＹＥＳ）、プログラムをステップＳ１２に進める。一方で、制御部６０は、湯張運転の信号が投入されていないと判断した場合には（ステップＳ１１：ＮＯ）、ステップＳ１１の処理を繰り返す。
【００９２】
ステップＳ１２において、制御部６０は、エコ湯張りモードであると判断した場合には（ステップＳ１２：ＹＥＳ）、プログラムをステップＳ３１に進める。一方で、制御部６０は、通常湯張りモードであると判断した場合には（ステップＳ１２：ＮＯ）、プログラムをステップＳ２１に進める。
【００９３】
ステップＳ２１において、制御部６０は、タンク１１内の温水を温度調整したうえで浴槽３に供給する通常湯張運転を実行する。まず、制御部６０は、浴槽用電磁弁１７ｂを開弁させる。すると、給水圧力によりタンク１１内の温水が、中温水混合弁３９で混合されて給湯配管１５側へ押し出され、風呂混合弁４２に供給される。そして、この温水と、水道水配管２１から供給された水とが風呂混合弁４２で混合される。制御部６０は、浴槽サーミスタ１７ａによって検出された湯張り配管１６に流れる温水の温度が、ユーザが設定した湯張り設定温度となるように、風呂混合弁４２を制御する。そして、風呂混合弁４２で温度調整された水が、浴槽水循環回路１８を介して浴槽３へ供給される。ステップＳ２１が終了すると、制御部６０は、プログラムをステップＳ２２に進める。
【００９４】
ステップＳ２２において、制御部６０は、浴槽３に供給された温水が設定された目標湯張り量に達したと判断した場合には（ステップＳ２２：ＹＥＳ）、湯張りが完了したと判断し、プログラムをステップＳ２３に進める。一方で、制御部６０は、浴槽３に供給された温水が設定された目標湯張り量に達していないと場合には（ステップＳ２２：ＮＯ）、プログラムをステップＳ２１に戻す。制御部６０は、水位センサ５０によって検出された浴槽３内の水位及び浴槽用流量カウンタ１７ｄにより検出された流量情報の少なくとも一方に基づいて、浴槽３に供給された温水の量を検出する。
【００９５】
ステップＳ２３において、制御部６０は、浴槽用電磁弁１７ｂを閉弁させて、通常湯張運転を終了させる。ステップＳ２６が終了すると、制御部６０は、プログラムをステップＳ１１に戻す。
【００９６】
ステップＳ３１において、制御部６０は、浴槽用電磁弁１７ｂを閉弁した状態を維持させて、プログラムをステップＳ３２に進める。
【００９７】
ステップＳ３２において、制御部６０は、ヒートポンプ２５で温水をある程度まで昇温させる始動運転を実行する。まず、制御部６０は、流出配管２４ａを流れる水がバイパス配管２９へ向かう流路となるように流路切替弁３０を制御する。そして、制御部６０は、ヒートポンプ２５の圧縮機２５ａを稼働させるとともに、沸き上げ用ポンプ２８を稼働させる。これにより、沸き上げ用ポンプ２８→放熱器２５ｂ→流出配管２４ａ→バイパス配管２９→低温水配管２３→沸き上げ用ポンプ２８の順に水が循環し、この水が放熱器２５ｂによって加熱される。つまり、ヒートポンプ２５の放熱器２５ｂから流出した水が、バイパス配管２９を介して、ヒートポンプ２５の放熱器２５ｂに戻されて再加熱される。
【００９８】
この始動運転によって、ヒートポンプ２５の始動時に、充分に加熱されていない水がタンク１１の中段部に導入されることが防止され、タンク１１に貯留されている温水の温度の低下が防止される。ステップＳ３２が終了すると、制御部６０は、プログラムをステップＳ３３に進める。
【００９９】
ステップＳ３３において、制御部６０は、高温水サーミスタ２７によって検出された放熱器２５ｂから流出した水の温度である沸上げ温度Ｔｗｏが第１規定温度Ａよりも高いと判断した場合には（ステップＳ３３：ＹＥＳ）、プログラムをステップＳ３４に進める。一方で、制御部６０は、沸上げ温度Ｔｗｏが第１規定温度Ａ以下であると判断した場合には（ステップＳ３３：ＮＯ）、プログラムをステップＳ３２に戻す。なお、第１規定温度Ａは、後述する第２規定温度Ｂよりも所定温度（例えば１〜３℃）低い温度である。
【０１００】
ステップＳ３４において、制御部６０は、沸上げ運転よりも低い温度で湯を沸かして、この湯をタンク１１の中段部に供給する低温沸上げ運転を実行する。具体的には、制御部６０は、流出配管２４ａを流れる水が取出配管３１へ向かう流路となるように流路切替弁３０を制御するとともに、追い焚き用ポンプ３４を稼働させる。これにより、沸き上げ用ポンプ２８→放熱器２５ｂ→流出配管２４ａ→取出配管３１→中温水配管３３→タンク１１→低温水配管２３→沸き上げ用ポンプ２８の順に水が循環し、この水が放熱器２５ｂによって加熱される。
【０１０１】
ステップＳ３４においては、制御部６０は、高温水サーミスタ２７によって検出された沸上げ温度Ｔｗｏが、貯湯沸き上げ温度（例えば、６５〜９０℃）よりも低い第２規定温度Ｂとなるように、沸き上げ用ポンプ２８を制御する。つまり、ステップＳ３４における沸き上げ用ポンプ２８の吐出流量が、沸上げ運転時における沸き上げ用ポンプ２８の吐出流量よりも大きくなるように、沸き上げ用ポンプ２８が制御される。第２規定温度Ｂは、湯張り設定温度よりも所定温度（例えば２〜３℃）高い温度である。ステップＳ３４が終了すると、制御部６０は、プログラムをステップＳ３５に進める。
【０１０２】
ステップＳ３５において、制御部６０は、高温水サーミスタ２７によって検出された沸上げ温度Ｔｗｏが、第２規定温度Ｂ以上である（第２規定温度Ｂに達した）と判断した場合には（ステップＳ３５：ＹＥＳ）、プログラムをステップＳ３６に進める。一方で、制御部６０は、沸上げ温度Ｔｗｏが第２規定温度Ｂよりも低い（第２規定温度Ｂに達していない）と判断した場合には（ステップＳ３５：ＮＯ）、プログラムをステップＳ３４に戻す。
【０１０３】
ステップＳ３６において、制御部６０は、ヒートポンプ２５で沸き上げた湯を優先的に浴槽３に供給するエコ湯張運転を実行する。具体的には、制御部６０は、浴槽用電磁弁１７ｂの開弁と閉弁を繰り返す。そして、制御部６０は、追焚きサーミスタ５２及び浴槽水熱交サーミスタ５３の少なくとも一方によって検出された温水の温度、つまり、浴槽３に流入する温水の温度が、湯張り設定温度となるように、風呂混合弁４２を制御する。これにより、風呂混合弁４２から流出した温水が、浴槽戻り配管４１を介して浴槽３へ供給されるとともに、浴槽往き配管４７を介して浴槽３へ供給される。
【０１０４】
なお、ステップＳ３６においては、通常湯張運転よりも湯の浴槽３への供給量を抑えるため、浴槽用電磁弁１７ｂは数秒開いた後に数秒閉じることが繰り返され、湯が断続的に浴槽３に供給される。このため、通常湯張運転のように、浴槽用電磁弁１７ｂが常時開いている場合と比較して、浴槽用電磁弁１７ｂが設けられている湯張り配管１６を流れる湯の流量が少なくなり、ヒートポンプ２５から供給される温水の流量が少なくなる。ある期間における浴槽用電磁弁１７ｂが開いている期間の割合であるデューティー比は、ヒートポンプ２５を最大の出力で稼働させた場合に、浴槽３に流入する温水の温度が湯張り設定温度を下回らない値に設定される。
【０１０５】
また、ステップＳ３６においては、制御部６０は、高温水サーミスタ２７によって検出された沸上げ温度Ｔｗｏが、第２規定温度Ｂとなるように、沸き上げ用ポンプ２８が制御される。つまり、ステップＳ３４における沸き上げ用ポンプ２８の吐出流量が、沸上げ運転時における沸き上げ用ポンプ２８の吐出流量よりも大きくなるように、沸き上げ用ポンプ２８が制御され、低温沸上げ運転が続行される。
【０１０６】
なお、中温水導出管３８のタンク１１の接続位置と、中温水配管３３のタンク１１の接続位置とは近接しているので、中温水配管３３からタンク１１の中段部に流入した温水は、タンク１１内に貯湯されている温水とあまり混ざること無く、中温水導出管３８から流出する。つまり、中温水配管３３を流通する温水の温度と、中温水導出管３８に流入する温水の温度は、殆ど変化しない。
【０１０７】
ステップＳ３６においては、タンク１１内の中温水が中温水導出管３８から流出した分の水道水が、水道水配管２１及び減圧弁２２を介してタンク１１内に供給される。ステップＳ３６が終了すると、制御部６０は、プログラムをステップＳ３７に進める。
【０１０８】
ステップＳ３７において、制御部６０は、浴槽３に供給された温水が設定された目標湯張り量に達したと判断した場合には（ステップＳ３７：ＹＥＳ）、プログラムをステップＳ３８に進める。一方で、制御部６０は、浴槽３に供給された温水が設定された目標湯張り量に達していないと場合には（ステップＳ３７：ＮＯ）、プログラムをステップＳ３６に戻す。
【０１０９】
ステップＳ３８において、制御部６０は、浴槽用電磁弁１７ｂを閉弁させるとともに、圧縮機２５ａ、沸き上げ用ポンプ２８、及び追い焚き用ポンプ３４を停止させて、エコ湯張運転を終了させる。ステップＳ３８が終了すると、制御部６０は、プログラムをステップＳ１１に戻す。
【０１１０】
浴槽３への湯張りが完了した場合には、制御部６０は、所定時間毎に、浴槽水循環ポンプ４８を作動させて浴槽３内の水を浴槽水循環回路１８内に循環させる。そして、制御部６０は、追焚きサーミスタ５２で浴槽３内の水の温度を検知し、保温の必要（つまり追焚き動作の必要）があるか監視する。
【０１１１】
制御部６０は、浴槽３内の水の温度が設定温度よりも低下した場合、自動的に追焚き運転を実行する。制御部６０は、各リモコン６１、６２からの追焚運転の実行を要求する要求信号を受けた場合も、追焚き運転を実行する。
【０１１２】
追焚き運転時には、制御部６０は、まず、浴槽水循環ポンプ４８を運転させ、浴槽３内の水を浴槽水循環回路１８内に取り込んで浴槽水熱交換器３２に循環させる。その状態で、制御部６０は、取出配管３１とタンク１１の上段部とが連通するように流路切替弁３０を制御し、追い焚き用ポンプ３４を運転させる。
【０１１３】
これにより、ヒートポンプ２５から直接供給される水と、タンク１１内の水とが、取出配管３１を通じて浴槽水熱交換器３２に流れる。この際、浴槽水熱交換器３２では、浴槽３からの低温水が、タンク１１からの高温水と熱交換して加熱され、温度上昇する。タンク１１からの水は、浴槽水熱交換器３２を通過して温度低下した後、中温水配管３３を通じてタンク１１に戻る。
【０１１４】
更に、制御部６０は、追焚き運転時に、浴槽３から流出して浴槽水熱交換器３２を通過した水の温度を浴槽水熱交サーミスタ５３で検出する。そして、浴槽水熱交サーミスタ５３で検出した検出温度に基づいて、浴槽３から流出して浴槽水熱交換器３２を通過した水の温度が、設定温度に応じて決定される目標温度となるように、追い焚き用ポンプ３４の回転数を制御する。これにより、浴槽３内の水の温度が設定温度まで上昇する。
【０１１５】
制御部６０は、料金設定の安価な夜間時間帯の電力（いわゆる深夜電力）を利用してタンク１１内の湯を沸き上げてタンク１１内を湯で満杯にする。
【０１１６】
以上の説明から明らかなように、エコ湯張運転では、ヒートポンプ２５によって沸かされた湯の沸上げ温度Ｔｗｏが第２規定温度Ｂに達してから（図２のステップＳ３５でＹＥＳと判断）、低温沸上げ運転によって沸かされた湯が浴槽３に供給される。
【０１１７】
これによれば、低温沸上げ運転によって、沸上げ温度Ｔｗｏが貯湯沸き上げ温度（例えば、６５〜９０℃）よりも低い第２規定温度Ｂとなるように沸き上げられた湯が浴槽３に供給される。このため、給湯装置１のエネルギー効率を向上させることができ、省エネルギーを図ることができる。
【０１１８】
また、ヒートポンプ２５の起動当初において、充分に昇温していない水をタンク１１内に貯留されている湯と混ぜて昇温させてから浴槽３に供給する必要が無い。このため、タンク１１内の湯の温度が低下することが無いので、エコ湯張運転を行った後に沸上げ運転を行う必要が無く、給湯装置１のエネルギー効率の低下を抑制することができる。よって、浴槽３に湯を供給する際のエネルギー効率を向上させることができる給湯装置１を提供することができる。
【０１１９】
エコ湯張運転において、浴槽用電磁弁１７ｂが常時開くと、一度に大量の湯が浴槽３に供給されて、ヒートポンプ２５の加熱能力が追いつかず、浴槽３に供給される湯の温度が湯張り設定温度を下回ってしまうおそれが有る。これを回避するためには、タンク１１の上段部に貯められている高温水を利用することが考えられるが、タンク１１の上段部に貯められている高温水を利用すると、湯張運転の後に沸上げ運転を行う必要が有り、給湯装置１のエネルギー効率が低下してしまう。
【０１２０】
そこで、図２のステップＳ３６のエコ湯張運転において、制御部６０は、エコ湯張運転では通常湯張運転よりも湯張り配管１６を流れる湯の流量が少なくなるように、浴槽用電磁弁１７ｂを制御する。
【０１２１】
これによれば、通常湯張運転のように、浴槽用電磁弁１７ｂが常時開いている場合と比較して、ヒートポンプ２５から供給される湯の流量が少なくなる。このため、エコ湯張運転において、ヒートポンプ２５の加熱能力が追いつかず、浴槽３に供給される湯の温度が湯張り設定温度を下回ってしまうことを抑制することができる。また、タンク１１の上段部に貯められている高温水を利用することに起因する給湯装置１のエネルギー効率の低下を抑制することができる。
【０１２２】
また、浴槽用電磁弁１７ｂは、開弁又は閉弁する開閉弁である。そして、図２のステップＳ３６のエコ湯張運転において、制御部６０は、浴槽用電磁弁１７ｂの開弁と閉弁を繰り返すことによって、湯を断続的に浴槽３に供給する。
【０１２３】
これによれば、既存の開閉弁を用いて、ヒートポンプ２５から供給される湯の流量を少なくすることができる。このため、新たにリニア弁を追加すること無く、既存の開閉弁を用いて、エコ湯張運転を実現することができる。
【０１２４】
また、給湯装置１は、通常湯張運転とエコ湯張運転とを選択可能なリモコン６１、６２を有する。
【０１２５】
これによれば、ユーザは、リモコン６１、６２を操作することによって、通常湯張運転とエコ湯張運転のいずれかを選択することができる。ユーザが、素早く浴槽３に湯を貯めることを欲する場合には、リモコン６１、６２を操作することによって、通常湯張運転を選択することができる。一方で、ユーザが、給湯装置１の消費電力を抑えることを欲する場合には、リモコン６１、６２を操作することによって、エコ湯張運転を選択することができる。
【０１２６】
また、給湯装置１は、ヒートポンプ２５から流出した水をヒートポンプ２５に戻すバイパス配管２９を有する。そして、制御部６０は、低温沸上げ運転を行う前に、図２のステップＳ３２において、ヒートポンプ２５から流出した水を、バイパス配管２９を介してヒートポンプ２５に戻す始動運転を行う。
【０１２７】
これによれば、ヒートポンプ２５の始動時に、加熱されていない水がタンク１１の中段部に導入されることが防止され、タンク１１に貯留されている温水の温度の低下が防止される。このため、温度が低下したタンク１１内の温水を昇温させるための沸上げ運転を行う必要が無く、給湯装置１のエネルギー効率の低下を抑制することができる。
【０１２８】
また、給湯装置１は、タンク１１の上段部に接続され、ヒートポンプ２５によって沸かされた湯が流通してタンク１１の上段部に流入させる高温水配管２４ｂを有している。そして、給湯装置１は、タンク１１の中段部に接続され、ヒートポンプ２５によって沸かされた湯が流通してタンク１１の中段部に流入させる中温水配管３３を有している。そして、給湯装置１は、タンク１１の中段部に接続され、タンク１１に貯留された湯を導出する中温水導出管３８を有している。そして、低温沸上げ運転においては、ヒートポンプ２５によって沸かされた湯が中温水配管３３を流通してタンク１１の中段部に流入する。そして、エコ湯張運転においては、タンク１１に貯留された湯が中温水導出管３８から導出されて浴槽３に供給される。
【０１２９】
これによれば、中温水配管３３及び中温水導出管３８がタンク１１の中段部に接続され、中温水導出管３８のタンク１１の接続位置と、中温水配管３３のタンク１１の接続位置とは近接している。このため、エコ湯張運転において、中温水配管３３からタンク１１の中段部に流入した温水は、タンク１１内に貯湯されている温水とあまり混ざること無く、中温水導出管３８から流出する。つまり、中温水配管３３を流通する温水の温度と、中温水導出管３８に流入する温水の温度は、殆ど変化しない。
【０１３０】
また、中温水配管３３及び中温水導出管３８は、タンク１１の中段部に接続されている。このため、低温沸上げ運転によってヒートポンプ２５によって沸かされた中温水の沸上げ温度Ｔｗｏと、タンク１１の中段部における湯の水温は、殆ど同一となっている。
【０１３１】
これらのことから、エコ湯張りモードにおいてヒートポンプ２５によって沸かされた湯が、タンク１１内を流通する際に、温度が変化してしまうことが抑制される。よって、浴槽３に所望の湯張り設定温度の湯を供給することができる。
【０１３２】
また、エコ湯張運転によるタンク１１の中段部の湯の温度の低下が抑制され、ひいては、タンク１１内全体の湯の温度の低下が抑制される。このため、エコ湯張運転を行った後に沸上げ運転を行う必要が無く、給湯装置１のエネルギー効率の低下を抑制することができる。
【０１３３】
（第２実施形態）
以下に、図３に示すフローチャートを用いて、第２実施形態の給湯装置１について、第１実施形態の給湯装置１と異なる点について説明する。第２実施形態の給湯装置１の制御部６０は、図３に示す第２実施形態の湯張運転処理を実行する。
【０１３４】
第２実施形態の湯張運転処理では、ステップＳ３５において、制御部６０は、低温沸上げ運転が開始してから規定時間が経過したと判断した場合に（ステップＳ３５：ＹＥＳ）、プログラムをステップＳ３６に進める。一方で、制御部６０は、低温沸上げ運転が開始してから規定時間が経過していないと判断した場合に（ステップＳ３５：ＮＯ）、プログラムをステップＳ３４に戻す。なお、規定時間は、低温沸上げ運転が開始してから、ヒートポンプ２５が沸かす湯の温度が湯張り設定温度（４０〜４２℃）よりも所定温度（例えば２〜３℃）高い温度となる時間に設定されている。
【０１３５】
以上の説明から明らかなように、低温沸上げ運転を開始してから規定時間が経過した後に（図３のステップＳ３５でＹＥＳと判断）、低温沸上げ運転によって沸かされた湯が浴槽３に供給される。
【０１３６】
これによれば、ヒートポンプ２５の起動当初において、充分に昇温していない水をタンク１１内に貯留されている湯と混ぜて昇温させてから浴槽３に供給する必要が無い。このため、タンク１１内の湯の温度が低下することが無いので、エコ湯張運転を行った後に沸上げ運転を行う必要が無く、給湯装置１のエネルギー効率の低下を抑制することができる。よって、浴槽３に湯を供給する際のエネルギー効率を向上させることができる給湯装置１を提供することができる。
【０１３７】
その他の第２実施形態の給湯装置１の構成および作動は第１実施形態の給湯装置１と同様である。従って、第２実施形態の給湯装置１は、第１実施形態の給湯装置１と同様の効果を得ることができる。
【０１３８】
（他の実施形態）
以上説明した実施形態では、エコ湯張運転において、ヒートポンプ２５によって沸かされた湯は、タンク１１の中段部を介して、浴槽３に供給されている。エコ湯張運転において、ヒートポンプ２５によって沸かされた湯が、タンク１１を介さずに、浴槽３に直接供給される実施形態であってもよい。
【０１３９】
以上説明した実施形態では、浴槽用電磁弁１７ｂは開閉弁である。浴槽用電磁弁１７ｂとして、流路の開口面積をリニアに調整するリニア弁を用いた実施形態であってもよい。この実施形態では、図２や図３のステップＳ３６のエコ湯張運転において、制御部６０は、浴槽用電磁弁１７ｂの流路を絞った状態で開弁する。この実施形態では、ステップＳ３６において、浴槽用電磁弁１７ｂの絞り開度は、ヒートポンプ２５を最大の出力で稼働させた場合に、浴槽３に流入する温水の温度が湯張り設定温度を下回らない値に設定されている。
【０１４０】
この実施形態もまた、通常湯張り運転のように、浴槽用電磁弁１７ｂが常時開いている場合と比較して、ヒートポンプ２５から供給される温水の流量が少なくなる。このため、エコ湯張運転において、ヒートポンプ２５の加熱能力が追いつかず、浴槽３に供給される湯の温度が湯張り設定温度を下回ってしまうことを抑制することができる。また、タンク１１の上段部に貯められている高温水を利用することに起因する給湯装置１のエネルギー効率の低下を抑制することができる。
【符号の説明】
【０１４１】
３      浴槽
１１    タンク
２５    ヒートポンプ
２７    高温水サーミスタ（湯温度検出部）
６０    制御部
【図１】
2020148412.tif 000003
【図２】
2020148412.tif 000004
【図３】
2020148412.tif 000005